(57)【要約】【課題】甘皮の除去や指先のケアーに用いる溶剤や薬剤を湯煎することによって加温することができ、甘皮の除去や指先のケアーの効率を向上させることが可能となる密閉式二重構造のフィンガーボールを提供する。【解決手段】上部が開口する下部外容器１２を上部蓋容器１３で密閉し、前記上部蓋容器１３の内部に、周囲に貯液空間２０を残して底部から上部外周の一部に向けて碗状に盛り上がり、下部が下部外容器１２内に開放された中空の膨出部２２を設け、この膨出部２２の貯液空間２０に臨む外面に指を沿わせるための上下方向の凹部２３を五指の配置に合わせて形成する。【選択図】図１
2006311892.tif 000002
【特許請求の範囲】
【請求項１】
上部が開口する下部外容器と、この下部外容器内に嵌め込んだ取付け状態で下部外容器の上部開口を閉鎖する上部蓋容器の組み合わせからなり、前記上部蓋容器の内部に、周囲に貯液空間を残して底部から上部外周の一部に向けて碗状に盛り上がり、下部が下部外容器内に開放された中空の膨出部を設け、この膨出部の貯液空間に臨む外面に指を沿わせるための上下方向の凹部を五指の配置に合わせて形成した密閉式二重構造のフィンガーボール。
【請求項２】
上記上部蓋容器の下面側周囲に、下部外容器の周壁における上端部に水密状となるよう嵌合して下部外容器内を密閉するシール部を設け、この下部外容器と上部蓋容器の外周で複数箇所の位置に、下部外容器に対して上部蓋容器を着脱自在に固定する係止機構を設けた請求項１に記載の密閉式二重構造のフィンガーボール。
【発明の詳細な説明】
【技術分野】
【０００１】
この発明は、付け爪の除去や指先のケアーに使用する密閉式二重構造のフィンガーボールに関する。
【背景技術】
【０００２】
一般に爪に付着したルーズスキンや汚れを効率よく除去するため、フィンガーボールを使用し、このボールにお湯を入れてマニキュアソーク等を滴下し、前記お湯に指先を漬けることでルーズスキンや汚れを除去することが行われている。
【０００３】
また、近年では、フィンガーボールの使い方が発展し、その素材をポリプロピレンのような溶剤に強いものにし、その中にアセトンのような溶剤を入れ、これに指先を漬けることで、施術した付け爪を取外す目的で使用したり、また、指先のケアーのため、フィンガーボールに注入したお湯にケアー用薬剤を入れ、このケアー用薬剤が発泡している間お湯に指先を漬け、甘皮を取りやすくしたり、指先に対して塗布するケアー薬剤の浸透性をよくしたりすることが行われている。
【０００４】
従来のフィンガーボール１は、図４に示すように、材料に合成樹脂を用い、上部が開口する容器本体２の内部に、周囲に貯液空間３を残して底部から上部外周の一部に向けて碗状に盛り上がる膨出部４を設け、この膨出部４の貯液空間３に望む外面に指を沿わせるための上下方向の凹部５を五指の配置に合わせて形成した構造になっている。
【発明の開示】
【発明が解決しようとする課題】
【０００５】
ところで、従来のフィンガーボール１は、上部が開口した単層の容器になっているので、注入したお湯の温度がすぐに低下し、お湯の適温を維持することができないため、上述したルーズスキン（甘皮）の除去や指先のケアーの効率が低下するという問題がある。
【０００６】
そこで、この発明の課題は、付け爪の除去や指先のケアーに用いる溶剤や薬剤を湯煎によって加温することができ、しかも、密閉容器による保温効果によって適温を長く維持し、甘皮の除去、付け爪の除去や指先のケアーの効率を向上させることが可能となる密閉式二重構造のフィンガーボールを提供することにある。
【課題を解決するための手段】
【０００７】
上記のような課題を解決するため、この発明は、上部が開口する下部外容器と、この下部外容器内に嵌め込んだ取付け状態で下部外容器の上部開口を閉鎖する上部蓋容器の組み合わせからなり、前記上部蓋容器の内部に、周囲に貯液空間を残して底部から上部外周の一部に向けて碗状に盛り上がり、下部が下部外容器内に開放された中空の膨出部を設け、この膨出部の貯液空間に臨む外面に指を沿わせるための上下方向の凹部を五指の配置に合わせて形成した構成を採用したものである。
【０００８】
上記上部蓋容器の下面側周囲に、下部外容器の周壁における上端部に水密状となるよう嵌合して下部外容器内を密閉するシール部を設け、この下部外容器と上部蓋容器の外周で複数箇所の位置に、下部外容器に対して上部蓋容器を着脱自在に固定する係止機構を設けた構造とすることができる。
【０００９】
ここで、下部外容器と上部蓋容器は、溶剤に強く電子レンジでの使用が可能となるポリプロピレンを用い、手のひらと折り曲げた五指が収まる程度の平面的な大きさに形成され、下部外容器は、上端部外周に上部蓋容器の受け縁と、その上部に環状の突条が設けられている。
【００１０】
また、上部蓋容器は、下面の周囲に上記突条に嵌合する周溝が設けられ、この周溝内に上部蓋容器を下部外容器に被せたときに、突条と周溝の嵌合部分を水密にして下部外容器内を密閉する弾性パッキンが組み込まれている。
【００１１】
上記係止機構は、上部蓋容器の外周に、係止孔を有する折り曲げ可能な弾性係止片を設け、下部外容器の上部外周に突設した係止突起に係止孔を嵌め込むことにより、上部蓋容器を下部外容器に固定化することができるようになっている。
【発明の効果】
【００１２】
この発明によると、下部外容器内にお湯を入れて上部蓋容器を嵌め込み固定し、上部蓋容器の貯液空間内に、甘皮の除去や付け爪の除去及び指先のケアー等に用いる薬剤を入れ、上部蓋容器の膨出部の凹部に沿わせた指先を薬剤に浸漬させれば、甘皮の除去や付け爪の除去及び指先のケアー等が行え、お湯に浸漬した上部蓋容器によって前記薬剤を湯煎することができ、この湯煎によって薬剤の効果を最大限に引出すことができる。
【００１３】
また、お湯を入れた下部外容器内を上部蓋容器によって密閉することができるので、お湯の保温性に優れ、適温状態を長く維持することができる。
【００１４】
更に、下部外容器の材質を選ぶことにより、下部外容器に入れた水を電子レンジで温めることができ、必要な量のお湯を簡単に得ることができる。
【発明を実施するための最良の形態】
【００１５】
以下、この発明の実施の形態を添付図面に基づいて説明する。
【００１６】
図示のように、フィンガーボール１１は、上部が開口する下部外容器１２と、この下部外容器１２内に嵌め込んだ取付け状態で下部外容器１２の上部開口を閉鎖する上部蓋容器１３の組み合わせによる密閉度の高い二重構造からなり、この下部外容器１２と上部蓋容器１３の外周で複数箇所の位置に、下部外容器１２に対して上部蓋容器１３を着脱自在に固定する係止機構１４が設けられている。
【００１７】
上記下部外容器１２と上部蓋容器１３は、溶剤や薬剤に強く電子レンジでの使用が可能なポリプロピレンを材料に用いて形成されている。
【００１８】
上記下部外容器１２は、底壁１５と周壁１６とを有し、手のひらと折り曲げた五指が収まる程度の平面的な大きさと、指の長さが納まる程度の深さを有する容器に形成され、周壁１６の上端部外周に上部蓋容器１３の受け縁１７と、その上部に環状の突条１８が設けられている。
【００１９】
上記上部蓋容器１３は、下部外容器１２の上部開口を閉鎖することのできる平面的な大きさを有する周枠１９と、この周枠１９の内周から連なって下部外容器１２内に嵌り込み、内部が貯液空間２０となる平面Ｕ字状の容器部２１と、この容器部２１の底部内周側から連なって周枠１９の上部外周の一部に向けて、上面に手のひらを載せることができる碗状に盛り上がり、下部が下部外容器１２内に開放された中空の膨出部２２とによって形成され、この膨出部２２の貯液空間２０に臨む外面に指を沿わせるための上下方向の凹部２３が五指の配置に合わせて設けられている。
【００２０】
上記上部蓋容器１３における周枠１９には、図３のように、下面側に上記突条１８に嵌合する周溝２４が設けられ、この周溝２４内に上部蓋容器１３を下部外容器１２に被せたときに、突条１８と周溝２４の嵌合部分を水密にして下部外容器１２内を密閉する弾性パッキン２５が組み込まれている。
【００２１】
上記係止機構１４は、上部蓋容器１３における周枠１９の外周に、合成樹脂の弾性を利用して折り曲げ可能となり、角形の係止孔２６を有する弾性係止片２７を設け、下部外容器１２における受け縁１７の外周に突設した係止突起２８に係止孔２６を嵌め込むことにより、上部蓋容器１３を下部外容器１２に固定化することができるようになっている。
【００２２】
この発明のフィンガーボール１１は、上記のような構成であり、下部外容器１２内に所定量のお湯を入れ、この下部外容器１２上に上部蓋容器１３を嵌め込み、係止機構１４を係合させることによって固定し、下部外容器１２内を密閉した状態で、お湯内に浸漬した上部蓋容器１３の貯液空間２０内に、甘皮の除去や付け爪の除去及び指先のケアー等に用いるアセトン等の溶剤や薬剤を注入する。
【００２３】
この状態で、上部蓋容器１３の膨出部２２の上面に手のひらを載せ、凹部２３に沿わせた指先を溶剤や薬剤に浸漬させれば、付け爪やマニキュアの除去及び指先のケアー等が行え、上部蓋容器１３の貯液空間２０はお湯に浸漬しているので、前記溶剤や薬剤を湯煎することができ、この湯煎によって溶剤や薬剤の効果を最大限に引出すことができると共に、下部外容器１２内を密閉したので、お湯の温度低下を防ぎ、溶剤や薬剤の湯煎状態を長く維持できる。
【００２４】
例えば、湯煎を利用して上部蓋容器１３にマニキュアローション等を入れることにより、指先のかさかさをなくすオイルトリートメントのようなホットマニキュアを行うことができる。
【００２５】
また、下部外容器１２内に水を張って電子レンジで温めのことができ、下部外容器１２内の水が熱湯になった状態で、上部蓋容器１３の貯液空間２０に水を注入すれば、密閉構造により適温を長く維持することができる。
【図面の簡単な説明】
【００２６】
【図１】この発明に係るフィンガーボールの分解斜視図
【図２】この発明に係るフィンガーボールの組み立て状態を示す平面図
【図３】同上の縦断正面図
【図４】従来のフィンガーボールを示す斜視図
【符号の説明】
【００２７】
１１      フィンガーボール
１２      下部外容器
１３      上部蓋容器
１４      係止機構
１５      底壁
１６      周壁
１７      受け縁
１８      突条
１９      周枠
２０      貯液空間
２１      容器
２２      膨出部
２３      凹部
２４      周溝
２５      弾性パッキン
２６      係止孔
２７      弾性係止片
２８      係止突起
【図１】
2006311892.tif 000003
【図２】
2006311892.tif 000004
【図３】
2006311892.tif 000005
【図４】
2006311892.tif 000006